(57)【要約】【課題】通話系統が増加しても外来ノイズを最小限に抑えて高い通話品質を保証する。【解決手段】受信機１に、受信機側電話器１３を一端に接続すると共に複数系統の電話外線２−１〜２−ｎに至る分岐線１５−１〜１５−ｎを他端に共通接続した電話器回路部１４と、電話器回路部１４からの分岐線の各々に設けられた複数のスイッチ回路部１６−１〜１６−ｎと、複数のスイッチ回路部１６−１〜１６−ｎから電話外線２−１〜２−ｎに至る分岐線１５−１〜１５−ｎの各々に設けられ、電話外線２−１に接続している電話ジャック５に対する電話器６の挿入接続を検出した際に、該当するスイッチ回路部１６−１をオンして電話回路部１４に接続する複数の電話接続検出部１７−１〜１７−ｎとを備える。【選択図】　　　　　図２
2004102488.tif 000002
【特許請求の範囲】
【請求項１】
受信機から引き出された複数系統の電話外線毎に１又は複数の電話ジャックを接続し、前記電話ジャックに電話器を挿入接続したことを受信機側で検出して受信機側電話器と通話を行う火災報知設備の電話装置に於いて、
前記受信機に、
前記受信機側電話器を一端に接続すると共に前記複数系統の電話外線に至る分岐線を他端に共通接続し、前記電話外線の電話ジャックに対する電話器の挿入接続を検出して通話呼出を行わせる電話器回路部と、
前記電話器回路部からの分岐線の各々に設けられた複数のスイッチ回路部と、前記複数のスイッチ回路部から前記電話外線に至る分岐線の各々に設けられ、前記電話外線に接続している電話ジャックに対する電話器の挿入接続を検出した際に、該当するスイッチ回路部をオンして前記電話回路部に接続する複数の電話接続検出部と、
を備えたことを特徴とする火災報知設備の電話装置。
【請求項２】
請求項１記載の火災報知設備の電話装置に於いて、前記スイッチ回路部と電話接続検出部を、複数の電話回線を１つに取りまとめた分岐線に設けたことを特徴とする火災報知設備の電話装置。
【発明の詳細な説明】
【０００１】
【発明の属する技術分野】
本発明は、受信機から引き出された電話外線の電話ジャックに対する電話器の挿入接続を受信機側で検出して受信機側電話器と通話を行う火災報知設備の電話装置に関する。
【０００２】
【従来の技術】
従来、火災報知設備の電話装置としては、例えば図５のものが知られている。図５は、火災報知設備の電話装置の系統を取り出しており、受信機１００からは例えば火災監視系統毎に電話外線１０２−１〜１０２−ｎが引き出され、電話外線１０２−１〜１０２−ｎの各々に、１又は複数の電話ジャック１０４を接続している。
【０００３】
電話ジャック１０４は警戒区域に設置された火災発信機や表示盤に設けられており、例えば電話外線１０２−１の終端の電話ジャック１０４のように、ここに電話器１０６を挿入接続して受信機１００側と通話することができる。
【０００４】
受信機１００には、電話器回路部１０８と電話接続検出部１１０が設けられている。電話回路部１０８は一端に電話ジャック１１２を接続し、ここに受信機用電話器１１４が挿入接続される。電話器回路部１０８の他端は通話接続検出部１１０に接続され、通話接続検出部１１０は電話外線１０２−１〜１０２−ｎを分岐接続している。
【０００５】
受信機１００側と通話を行いたい場合には、例えば電話外線１０２−１のように電話ジャック１０４に監視要員などが携帯している電話器１０６を挿入接続すると、受信機１００の電話接続検出部１１０で電話器１０６の挿入接続が検出され、図示しない受信制御部側に検出信号を出力し、ブザーを鳴らすと共に表示灯を点滅して通話呼出を行う。
【０００６】
この通話呼出に対し、管理者などは受信機１００に設置してある受信機用電話器１１４を電話ジャック１１２に挿入接続することで、端末側の電話器１０６との間で通話ができる。
【０００７】
【特許文献１】
特開平４−３４８４９８号公報
【特許文献２】
特開平５−３３６２６１号公報
【特許文献３】
特開平９−８１８７０号公報
【０００８】
【発明が解決しようとする課題】
しかしながら、このような従来の火災報知設備の電話装置にあっては、受信機１００に対し電話外線１０２−１〜１０２−ｎをすべて共通に接続していたため、例えば電話外線１０２−１の系統の電話器１０６で通話を行っている場合、残りの電話外線１０２−２〜１０２−ｎの外来ノイズが全て通話中の電話外線１０２−１の系統に加わり、通話連絡中に外来ノイズが聞こえ、非常に耳障りであった。
【０００９】
本発明は、通話系統が増加しても外来ノイズを最小限に抑えて高い通話品質を保証する火災報知設備の電話装置を提供することを目的とする。
【００１０】
【課題を解決するための手段】
この目的を達成するため本発明は次のように構成する。本発明は、受信機から引き出された複数系統の電話外線毎に１又は複数の電話ジャックを接続し、電話ジャックに電話器を挿入接続したことを受信機側で検出して受信機用電話器と通話を行う火災報知設備の電話装置を対象とする。
【００１１】
このような火災報知設備の電話装置として本発明にあっては、受信機に、受信機側電話器を一端に接続すると共に複数系統の電話外線に至る分岐線を他端に共通接続し、電話外線の電話ジャックに対する電話器の挿入接続を検出して通話呼出を行わせる電話器回路部と、電話器回路部からの分岐線の各々に設けられた複数のスイッチ回路部と、複数のスイッチ回路部から電話外線に至る分岐線の各々に設けられ、電話外線に接続している電話ジャックに対する電話器の挿入接続を検出した際に、該当するスイッチ回路部をオンして電話回路部に接続する複数の電話接続検出部とを備えたことを特徴とする。
【００１２】
ここでスイッチ回路部と電話接続検出部を、複数の電話回線を１つに取りまとめた分岐線に設けるようにしても良い。
【００１３】
このような本発明による火災報知設備の電話装置によれば、受信機内の電話器回路部に対し分岐接続された電話外線側は、電話外線の電話ジャックに対する電話器の挿入接続を検出しない非通話時にあっては、各分岐線に設けたスイッチ回路部をオフにして電話器回路部から切り離しており、電話外線の電話ジャックに対する電話器の挿入接続を電話接続検出部で検出した場合に、該当するスイッチ回路部のみをオンして接続を検出した電話外線を電話器回路部に接続することとなり、通話が行われない他の電話外線は切り離し状態にあるために、外来ノイズが混入してくることはなく、電話外線を多数系統に引き出していても、外来ノイズが系統の増加により増えることは無く、耳障りな外来ノイズに影響されることなく、明瞭に通話できる。
【００１４】
【発明の実施の形態】
図１は本発明の電話装置が適用される火災報知設備の説明図である。図１において、本発明の火災報知設備は、管理人室などに設置された受信機１から警戒区域に対し線路２として、電源線Ｖ、伝送線Ｓ、伝送コモン線ＳＣ、電話線Ｔ及び電話コモン線ＴＣを引き出している。ここで電話コモン線ＴＣは、電源線Ｖと電話線Ｔに対するコモン線となる。
【００１５】
受信機１から引き出された電話外線２に対しては感知器用中継器３が複数台設置されている。本発明の火災報知設備にあっては、受信機１は感知器用中継器３に設定した端末アドレスの指定により呼出しなどのコマンドを送信して応答情報を受信しており、受信機１に対しては端末アドレスの設定可能数分だけの感知器用中継器３を接続することができ、大規模な火災報知設備にあっては受信機１に対し数百台といった感知器用中継器３が接続される。
【００１６】
感知器用中継器３からは複数の感知器線Ｌ１〜Ｌｎと感知器コモン線ＬＣが引き出され、各感知器線Ｌ１〜Ｌｎとの感知器コモン線ＬＣとの間にオン、オフ型の火災感知器４を接続している。
【００１７】
なお、この例では、感知器線Ｌ１〜Ｌｎのそれぞれに１台の火災感知器４を接続した場合を例にとっているが、必要に応じて複数台の火災感知器４が各感知器線ごとに接続される。また、感知器線Ｌ１〜Ｌｎの終端には断線検出のための終端器を接続するが、これは省略している。
【００１８】
一方、感知器用中継器３が設置されている警戒区域には、受信機１と現場との間で通話連絡を行うため電話ジャック５が設けられている。この電話ジャック５は具体的には、警戒区域に設置されている火災発信器や表示盤などに設けられることになる。
【００１９】
電話ジャック５の一端には受信機１から引き出された電話線Ｔが接続され、電話ジャック５の他端は電話コモン線ＴＣにより感知器用中継器３から引き出された感知器コモン線ＬＣに接続され、この感知器コモン線ＬＣには受信機１から引き出された電話コモン線ＴＣが接続される。
【００２０】
受信機１には、監視制御部として機能する受信機用ＭＰＵ７、伝送回路部８、操作部９、表示部１０、通話制御部１１、電話ジャック１２が設けられる。電話ジャック１２に対しては、通話の際には受信機用電話器１３が挿入接続される。
【００２１】
受信機１からの伝送線Ｓと伝送コモン線ＳＣの間には、電源電圧と同時に伝送回路部８からの下り信号及び感知器用中継器３からの上り信号が重畳される。ここで受信機１の伝送回路部８からの下り信号は、電源線を兼ねる伝送線Ｓと伝送コモン線ＳＣ間に電圧信号として重畳させている。また感知器用中継器３からの上り信号は、伝送線Ｓと伝送コモン線ＳＣ間に流れる線路電流を変化させることで送信している。
【００２２】
受信機１の伝送回路部８は、通常の監視状態にあっては、感知器用中継器３の端末アドレスを順番に指定した呼出コマンドを含む呼出信号を送信しており、この呼出信号は感知器用中継器３で受信され、受信した呼出信号から呼出アドレスを抽出して、予め設定された自己アドレスと比較し、アドレス一致を判別したときに、そのときの感知器用中継器３における状態信号を線路電流の変化として受信機１に送出する。
【００２３】
受信機１からの呼出信号に対する感知器用中継器３の応答信号としては、例えば８ビットの応答データ中の特定のビットに対応して、正常、障害、火災などの検出状態を設定し、対応する状態ビットを立てることで応答信号を受信機に返す。
【００２４】
また火災検出時にあっては、受信機１に火災割込信号を送出し、受信機１において火災割込処理を行わせる。即ち受信機１は、感知器用中継器３から火災割込信号を受信すると、火災を検出している感知器用中継器３のアドレスを検索するためのアドレス検索処理を実行して、火災を検出した感知器用中継器３を特定し、特定したアドレスの感知器用中継器３に対し継続的に呼出信号を送って火災検出情報の応答を得るようになる。
【００２５】
更に受信機１の伝送回路部８にあっては、感知器用中継器３に対する呼出信号の転送と並行して、一定周期例えば１分間隔で断線検出制御信号を送信しており、この断線検出制御信号を受けて感知器線Ｌ１〜Ｌｎと感知器コモン線ＬＣ間の断線検出動作を行わせる。この断線検出動作による検出結果は、断線検出処理が終了した後の次の呼出信号に対する応答信号により送り返される。
【００２６】
受信機１の受信機用ＭＰＵ７は、伝送回路部８により感知器用中継器３との間の伝送制御で得られた感知器用中継器３に関する情報に基づいて、火災受信処理や障害発生処理などの監視制御を行う。この受信機用ＭＰＵ７に対しては操作部９と表示部１０が設けられており、火災表示や障害表示に加え、それぞれの表示に必要な操作入力を行うようにしている。
【００２７】
更に通話制御部１１は、端末側の電話ジャック５に図示のように電話器６が挿入接続されると、このとき電話線Ｔと電話コモン線ＴＣ間の電圧変化等を検出して通話接続を認識し、受信機用ＭＰＵ７に通話呼出動作を行わせる。
【００２８】
通話呼出しがあったならば、管理者は受信機１に設置されている受信機用電話器１３を取り出して電話ジャック１２に接続することで、端末側の電話器６との間で通話を行うことができる。
【００２９】
図２は図１の火災報知設備における本発明の電話装置の部分を取り出して示した説明図である。図２において、図１の通話制御部１１に相当する回路部は、電話器回路部１４、スイッチ回路部１６−１〜１６−ｎ及び電話接続検出部１７−１〜１７−ｎで構成される。
【００３０】
電話器回路部１４は、一端に電話ジャック１２を介して受信機用電話器１３を挿入接続できるようにしており、他端には電話外線２−１〜２−ｎを接続した分岐線１５−１〜１５−ｎを共通に接続している。
【００３１】
電話外線２−１〜２−ｎに繋がる分岐線１５−１〜１５−ｎのそれぞれには２回路のリレー接点を備えたスイッチ回路部１６−１〜１６−ｎが挿入接続され、これに続いて電話外線側に電話接続検出部１７−１〜１７−ｎを挿入接続している。
【００３２】
電話接続検出部１７−１〜１７−ｎは、例えば電話接続検出部１７−１を例にとると、端末側に引き出している電話外線２−１に設けている２つの電話ジャック５の内、例えば終端に接続している電話ジャック５に対し電話器６を挿入接続した際に、この電話器６の挿入接続における例えば電話外線２−１の電圧変化を検出して、電話器６の挿入接続を検出する。
【００３３】
電話接続検出部１７−１で電話器６の挿入接続を検出すると、対応するスイッチ回路部１６−１の２回路のリレー接点をオンし、電話器６を挿入接続した電話外線２−１を分岐線１５−１を介して電話器回路部１４に接続する。
【００３４】
電話器回路部１４は、電話接続検出部１７−１による電話器６の挿入接続に基づいてスイッチ回路部１６−１がオンして、分岐線１５−１を介して電話器６の接続状態が得られると、同じく電話器６の接続による信号線間の電圧変化を検出し、図１の受信機用ＭＰＵ７に対する電話接続検出信号の出力で表示部１０に対し電話呼出しのための表示とブザーの鳴動を行わせる。
【００３５】
この電話器回路部１４の通話接続検出信号による呼出しを受けて、管理人が受信機１に設置されている受信機用電話器１３を電話ジャック１２に接続すると、端末側の電話器６と受信機用電話器１３との間に通話回路が形成され、両者の間で通話を行うことができる。
【００３６】
このとき電話ジャック５に電話器６の接続が行われていない他の電話外線２−２〜２−ｎ側にあっては、それぞれの電話接続検出部１７−２〜１７−ｎが電話器６の挿入接続を検出していないため、スイッチ回路部１６−２〜１６−ｎにおける２回路のリレー接点を全てオフとしている。
【００３７】
このため、電話器６の挿入接続時、電話器回路部１４を介して受信機用電話器１３に加わる外来ノイズは電話器６の挿入接続を行っている電話器回路部２−１のみの外来ノイズとなり、通話接続を行っていない他の電話外線２−２〜２−ｎは切り離し状態にあることから、その外来ノイズを受けることがなく、受信機１からｎ系統の電話外線を引き出していても、通話時の外来ノイズをごく小さくでき、明瞭に通話を行うことができる。
【００３８】
図３は図２の電話器回路部１４、スイッチ回路部１６−１及び電話接続検出部１７−１の具体的な回路構成の実施形態である。
【００３９】
図３において、電話外線２−１に対応して設けられた電話接続検出部１７−１は、電源電圧Ｖｃとして例えば＋２４ボルトを抵抗Ｒ１を介して電話外線２−１に供給している。
【００４０】
電話外線２−１の他方の線は抵抗Ｒ４を介してアースされると共に、スイッチ回路１６−１のリレー接点１９ｂに接続される。抵抗Ｒ１を介して電話外線２−１側に供給された線路電圧は、抵抗Ｒ２，Ｒ３で分圧されて比較部１８に入力されている。
【００４１】
比較部１８には所定の閾値が設定されており、電話ジャック５に対する電話器６の挿入接続で電話外線２−１の線間電圧が低下すると、これを比較部１８で検出し、リレー１９を駆動してスイッチ回路部１６−１のリレー接点１９ａ，１９ｂを閉じる。
【００４２】
スイッチ回路部１６−１のリレー接点１９ａ，１９ｂに対するラインは、電話接続検出部１７−１における抵抗Ｒ１，Ｒ４の間から分岐線１５−１として取り出されており、電話器回路部１４の入力段で他の電話外線側からの分岐線に共通接続される。
【００４３】
電話器回路部１４は電源電圧Ｖｃを抵抗Ｒ５を介して、受信機用電話器１３が接続される電話ジャック１２からの電話外線に電源を供給しており、この電話外線はカップリング用のコンデンサＣ１を介してスイッチ回路部１６−１からの分岐線１５−１と接続される。またリレー接点１９ｂにはコンデンサＣ２を介して電話ジャック１２に接続されると共に抵抗Ｒ６を介してアースされる。
【００４４】
また電話器回路部１４のスイッチ回路部１６−１側には通話呼出検出部２０が設けられており、電話接続検出部１７−１と同様、スイッチ回路部１６−１のリレー接点１９ａ，１９ｂのオンで得られた電話外線２−１側の線間電圧を予め設定した閾値と比較し、電話器６の通話接続を検出して、図１の受信機用ＭＰＵ７に通話接続検出信号を出力し、表示部１０によるブザーと表示灯の点灯で通話呼出しを行わせる。
【００４５】
なお、抵抗Ｒ１、Ｒ４、Ｒ５、Ｒ６の抵抗値は同じ値であり、コンデンサＣ１とＣ２も同じ値であるが、回路的なバランスが良く、ノイズを抑えることができる。また、抵抗Ｒ２、Ｒ３の抵抗値は抵抗Ｒ１、Ｒ４、Ｒ５、Ｒ６にりも充分大きく設定している。
【００４６】
次に図３における動作を説明する。電話ジャック５に電話器６を挿入接続すると、電話外線２−１の電圧が変化し、電話接続検出部１７−１の比較部１８に抵抗Ｒ２、Ｒ３を介してこの線路電圧の変化を検出する。
【００４７】
比較器１８が線路電圧変化を検出するとリレー１９を作動して、スイッチ回路部１６−１のリレー接点１９ａ，１９ｂがオンする。リレー接点１９ａ，１９ｂのオンで電話外線２−１側の線間電圧が電話器回路部１４の通話呼出検出部２０に入力される。
【００４８】
通話呼出検出部２０は、線間電圧を予め設定した閾値と比較して、電話器６からの通話を検出し、受信機用ＭＰＵ７に通話接続検出信号を出力し、表示部１０によるブザーと表示部の点灯で通話呼出しを行わせる。
【００４９】
受信機付近にいる管理人は、ブザーの鳴動により、受信機１に設置されている受信機用電話器１３を電話ジャック１２に接続すると、端末側の電話器６と受信機用電話器１３との間に通話回路が形成され、両者間で通話を行なうことができる。
【００５０】
このときは、電話ジャック５に電話器６の接続が行なわれていない他の電話外線２−２〜２−ｎ側にあっては、スイッチ回路部１６−２〜１６−ｎがオフしており、通話接続を行なっていない他の電話外線は切り離し状態にあることから、その外来ノイズを受けることがなく、明瞭に通話を行うことができる。
【００５１】
図４は本発明による電話装置の他の実施形態であり、図２の実施形態と同様、受信機１に設けた電話装置の部分のみを取り出して示している。この図４の実施形態にあっては、受信機１から引き出している電話外線２−１，２−２，２−３，２−４，…を例えば２回線を１つの系統にまとめたことを特徴とする。
【００５２】
即ち、受信機１から引き出された電話外線２−１，２−２の２回線を１つにまとめて電話接続検出部１７−１に接続し、また電話外線２−３，２−４の２回線を電話接続検出部１７−２に共通接続している。
【００５３】
このように電話器６の挿入接続を検出する系統を複数の電話外線を１つにまとめて行うことで、受信機１側に設けるスイッチ回路部１６−１，１６−２，…及び電話接続検出部１７−１，１７−２，…の数を、例えば電話外線の数をｎ回線とした場合、図２の場合にはｎ回路必要であるが、図４の場合には半分の回路数に低減することができる。もちろん１つの系統にまとめる電話外線の数としては、合成された外来ノイズが通話品質を損なうことのない規定レベル以下となる条件を満足するように１系統にまとめる電話外線の数を決める。
【００５４】
なお上記の実施形態は受信機からの呼出により情報を収集するＲ型の火災報知設備を例に取るものであったが、本発明はこれに限定されず、監視系統が多数となり、この多数の監視系統ごとに電話外線を設ける火災報知設備であれば、適宜の火災報知設備につき、そのまま適用することができる。
【００５５】
また本発明は上記の実施形態に限定されず、その目的と利点を損なうことのない適宜の変形を含み、更に実施形態に示した数値による限定は受けない。
【００５６】
【発明の効果】
以上説明してきたように本発明によれば、受信機から引き出された電話外線の内、端末側で電話器の挿入接続を電話ジャックに対して行った電話外線のみが、電話接続検出回路、スイッチ回路部を介して、受信機内の電話器回路部に接続されて、受信機用電話器との間で通話回路を形成することとなり、電話器の挿入接続が行われていない他の電話外線については切り離し状態にあるため、電話器の挿入接続が行われていない電話外線から外来ノイズが混入してくることはなく、従来、ｎ回線の電話外線を共通接続していた場合に比べ、本発明によれば外来ノイズを１／ｎとでき、外来ノイズを十分に低減し、現場と受信機との間の通話が外来ノイズの影響に妨げられることなく明瞭に行うことができる。
【図面の簡単な説明】
【図１】本発明の電話装置が適用される火災報知設備の説明図
【図２】本発明の基本的な実施形態の説明図
【図３】電話外線の２回線を１系統とした本発明の他の実施形態の回路図
【図４】本発明の受信機内に設けられる電話装置の回路図
【図５】火災報知設備のおける従来の電話装置の部分を取り出して示した説明図
【符号の説明】
１：受信機
２：電話外線
３：感知器用中継器
４：火災感知器
５，１２：電話ジャック
６，１３：電話器
７：受信機用ＭＰＵ
８：伝送回路部
９：操作部
１０：表示部
１１：通話制御部
１３：受信機用電話器
１４：電話器回路部
１５−１〜１５−ｎ：分岐線
１６−１〜１６−ｎ：スイッチ回路部
１７−１〜１７−ｎ：電話接続検出部
１８：比較部
２０：通話呼出検出部
【図１】
2004102488.tif 000003
【図２】
2004102488.tif 000004
【図３】
2004102488.tif 000005
【図４】
2004102488.tif 000006
【図５】
2004102488.tif 000007